(57)【要約】  洗浄水または研磨剤のような処理剤を水噴射としてスプレー水に加えるため、水噴射（１）の手持部材（２）が、混合チャンバ（７）から成る混合貯蔵部（６）を手持部材（２）の下端部に備える。混合チャンバ（７）が、噴射水供給ラインの主要または補助的な流れに配置される。処理剤を含む水溶性のタブレットが、そこに配置される。処理剤の混合が前記混合チャンバへの供給、排出ラインの形状及び寸法によって決定される。
2007506490.tif 000002
【特許請求の範囲】
【請求項１】
水容器からスプレーノズル（３）へ案内する主要導管と、スプレーノズル（３）に処理剤を供給するための貯蔵部と、を備えた口腔注入器において、
口腔注入器（１）が、処理剤をスプレーノズル（３）に流れる水に連続混合する手段を備えることを特徴とする口腔注入器。
【請求項２】
貯蔵部が混合貯蔵部（６）として構成され、且つ水容器とスプレーノズル（３）との間に配置され、スプレーノズル（３）に送られる水が、混合貯蔵部（３）を介して案内されること、通過する水によって溶融可能な成分から成る物質が、混合貯蔵部に配置されること、を特徴とする請求項１に記載の口腔注入器。
【請求項３】
混合貯蔵部（６）が、分岐導管を介して主導管に接続されることを特徴とする請求項１または２に記載の口腔注入器。
【請求項４】
分岐導管が、制限された直径を有することを特徴とする請求項３に記載の口腔注入器。
【請求項５】
分岐導管に対し平行な導管が、混合貯蔵部（６）を主導管に関連する分岐ストリームに配置するために備えられることを特徴とする請求項３または４に記載の口腔注入器。
【請求項６】
混合貯蔵部（６）が主導管の一部分に配置され、よって主導管を介して流れる主要ストリームの一部であることを特徴とする請求項１または２に記載の口腔注入器。
【請求項７】
混合貯蔵部（６）が中心管状体（１９）を具備し、それが分岐導管を形成することを特徴とする請求項
１空６のいずれか一項に記載の口腔注入器。
【請求項８】
混合貯蔵部（６）が環状チャンバであり、乱流体を具備し、乱流体を介して水がスプレーノズルに案内される前に、物質の周囲で水に渦を巻かせることを特徴とする請求項１〜７のいずれか一項に記載の口腔注入器。
【請求項９】
伸長グリップを備え、その前端にスプレーノズル（３）を配置し、管コネクタ（４）を具備し、がグリップ本体において管コネクタ（４）とスプレーノズル（３）との間で主導管を形成する伸長チャンネル（１６）が延びる、口腔注入器用の手持部材であり、
混合貯蔵部（６）を形成する混合チャンバ（７）が、グリップ本体に形成されることを特徴とする手持部材。
【請求項１０】
伸長チャンネル（１６）が混合チャンバ（７）の床面の下で延び、混合チャンバ（７）の床面に少なくとも一つの孔を介して長手チャンネル（１６）と接続していることを特徴とする請求項９に記載の手持部材。
【請求項１１】
混合チャンバ（７）が、着脱可能なキャップ（１２）によって閉じられることを特徴とする請求項９または１０に記載の手持部材。
【請求項１２】
放射状に延び且つ弓状のウエブが、キャップ（１２）の下側に形成され、乱流体を形成することを特徴とする請求項１１に記載の手持部材。
【請求項１３】
混合チャンバ（７）が、環状タブレット（２１）を受容するのに適した中心管状体（１９）を具備し、伸長チャンネル（１６）と混合チャンネル（７）との間の孔が、管状体（１９）の長手軸に沿って延びていることを特徴とする請求項１０に記載の手持部材。
【請求項１４】
更に混合チャンバ（７）を伸長チャンネル（１６）に接続する孔が、混合チャンバ（７）の床面に備えられることを特徴とする請求項１０または１３に記載の手持部材。
【請求項１５】
伸長チャンネル（１６）が、孔の開口との間に遮断部（２３）を備えることを特徴とする請求項１４に記載の手持部材。
【請求項１６】
混合チャンバ（７）と管コネクタ（４）が、グリップ本体の後端部に形成されることを特徴とする請求項６〜１５のいずれかいっこうに記載の手持部材。
【請求項１７】
混合チャンバ（７）と管コネクタ（４）が、グリップ本体の中心管状部分（１０）に押し込まれた手持部材（２）の端部分（１１）に形成されることを特徴とする請求項１６に記載の手持部材。
【請求項１８】
伸長チャンネル（１６）の一つのセクションを形成するパイプ（１３）が、中心管状部分（１０）に配置され、端部材（１１）における挿入孔（１４）に挿入可能であることを特徴とする請求項１７に記載の手持部材。
【請求項１９】
管コネクタが、端部材（１１）で横方向に備えられていることを特徴とする請求項１７または１８に記載の手持部材。
【発明の詳細な説明】
【技術分野】
【０００１】
本発明は、水容器からスプレーノズル及び処理剤をスプレーノズルに供給する付属の貯蔵部へ延びる導管を備えた口腔注入器に関するものである。
【背景技術】
【０００２】
そのような注入器に関して、例えば実際に歯を洗浄する際に、水容器に代わる付属の貯蔵部に弁を介して導管を接続することによって、水道水に代わる洗浄水を噴射することが可能である。しかし、水と処理剤の両方を同時に口腔注入器によって、頻繁に噴射する必要がある。例えば処理剤は、洗浄水または研磨剤であり得、それによって歯の洗浄を強めている。
【発明の開示】
【発明が解決しようとする課題】
【０００３】
本発明は、口腔注入器を改良する問題に関連し、同時に水と処理剤をスプレーノズルに供給する選択肢を提供する。
【課題を解決するための手段】
【０００４】
この問題は、本発明による口腔注入器により、口腔注入器がスプレーノズルに流れる水に処理剤を連続混合する手段を備えることで解決される。
【０００５】
処理剤をスプレーノズルに流れる水に混合することによって、歯の洗浄のために口腔注入器を使用する時に、予め所望の追加処理剤を歯または口中に注入できるようにする。
【０００６】
貯蔵部は好ましくは、混合貯蔵部として構成され、水容器とスプレーノズルとの間に配置されて、スプレーノズルに送られる水が混合貯蔵部を介して通される。その中に物質（substrate、Substrat）が入れられており、それは水溶性材料から成っている。物質は例えば、タブレット（錠剤）の形をした固体物質、ゲル、ペースト状などの半個体物質であり得る。口腔注入器の動作中、水がそれによって溶解物質を通って流れ、溶解粒子が混合貯蔵部の中に入る。
【０００７】
水をスプレーノズルに運ぶポンプは、通常は水容器に位置されている。ポンプからスプレーノズルへの供給導管における処理剤の混合は、好ましくは手持部材の範囲内で行われ、それは混合システムがポンプの下流に位置していることを意味しているので、科学的な活性及び／または研磨処理剤が、ポンプに入ることができず、ポンプを損傷させない。
【０００８】
追える量を計量するために幾つかの可能性があり、例えば混合貯蔵部が分岐導管によって主導管に連結できるようになっている。それによって水が主導管から分岐導管を介して混合貯蔵部へ流れ、そこで固体物質（solid substrate、Festkoerpersubstrat）を溶解し、同じ経路に沿って戻り流出する。混合貯蔵部が満たされるとすぐに、その中に流れる水により主導管内に負圧を生じさせ、それによって処理剤で濃縮された水を混合貯蔵部から吸い出される。分岐導管がこのプロセスの制御のためにその寸法を制限され、その水圧抵抗が戻り流を決定する。  
【０００９】
分岐導管に対して並行に並行導管が備えられると、混合貯蔵部が主導管への第二のストリームに配置されると、一方で混合貯蔵部を介する輸送量が更に高くなる。主導管を介して流れる水流の一部が、それによって第二のストリームの中に連続的に分けて入れられ、処理剤と混合され、次に並行導管を介して主要ストリームに戻される。輸送量の割合は。並行導管の直径を適切に制限することによって、制御できる。
【００１０】
また混合貯蔵部が、主導管の一部にも配置でき、それで主導管を介する主要なストリームの一部になる。水容器からスプレーノズルへ流れる全ての水が、それによって最初に混合貯蔵部を介して流れ、この方法では処理剤で濃縮される。
【発明を実施するための最良の形態】
【００１１】
混合貯蔵部が好ましくは、混合貯蔵部への供給導管を形成する中心管状体を具備する。よって管状体が、環状物質のキャリアまたはホルダーとしても作用できる。更に、水と処理剤の良好な混合を混合貯蔵部からの流出量を増加することによって、行うことができる。
【００１２】
混合貯蔵部の出水を均一にするため、更に環状チャンバとして構成されて、乱流体を具備し、水が主導管の中に戻る前に乱流体を介して水が固体物質の周りで渦を巻く。
【００１３】
更に本発明は、伸長グリップ本体を具備した口腔注入器用の手持部材にも関連しており、グリップ本体の前端部にスプレーノズルが配置され、管コネクタを含んでおり、主導管を形成する伸長チャンネルが、グリップ本体において管コネクタとスプレーノズルとの間に延びている。
【００１４】
本発明は、適切な方法でそのような手持部材に混合貯蔵部を形成する目的を基にしており、混合貯蔵部で処理剤をスプレーノズルに流れる水に連続混合できる。
【００１５】
この問題を解決するため、本発明は混合チャンバを形成する混合貯蔵部をグリップ本体に形成する。
【００１６】
また、手持部材における混合貯蔵部の配置に関して、数ある中で水道水をスプレーノズルに送り、停止時に手持部材用の支持ステーションとして作用するポンプを具備した分離ハウジング内に収容することも当然できる。
【００１７】
それによって本発明による混合貯蔵部は、手持部材の一部であり、それと組み込めるように構成できる。例えば供給管に挿入することは必要ない。手持部材を製造するために射出成形の適用が必要なだけなので、更に低製造コストである。
【００１８】
好ましくは伸長チャンネルが、混合チャンバの床面の下に延びており、伸長チャンネルとの接続が、混合チャンバの床面に分岐導管を形成する少なくとも一つの孔によって行われる。この床面の孔またはカットアウトも、射出成形工具の適用によって形成できる。更に、伸長チャンネルと混合チャンバとの間の短い通路が配置され、特に混合チャンバが第二のストリームに配置される時、運ばれて来る充分大量の水が混合チャンバに入るようになっている。
【００１９】
好ましくは、混合チャンバが着脱可能キャップによって閉じられる。これにより処理剤用の物質を簡単に交換できる。混合チャンバに入る液体に渦を巻かせる乱流体が、物質を確実に充分良好に熔解する。
【００２０】
混合チャンバが、二つの機能を有する中心管状体を具備している。一方で、中心管状体はタブレット（tablet、Tablette）形、例えば環状の固体物質を支えるために作用し、他方で伸長チャンネルと混合チャンバとの間に分岐導管を形成する孔が、管状体を介して延びており、孔が管状体に配置されたタブレットの上で、混合チャンバに排出するので、混合チャンバを介する良好な流れが生じる。
【００２１】
更に混合チャンバと伸長チャンネルを接続する並行導管を形成する補助孔が、混合チャンバの床面に備えられ、流れが混合チャンバを介して頂部から底部に到達する。
【００２２】
混合チャンバが主水流に配置するため、伸長チャンネルが孔の端部同士の間に配置された閉鎖物によって閉じられる。これは射出成形工具の適用によって実施できる。混合チャンバと管コネクタが好ましくは、グリップ部分の後端部に配置される。管を介してグリップ部分の伸長チャンネルに入る水が、それによって直ぐに混合チャンバの中に入れるこができ、それにより混合が既に混合チャンバにおいて行われていない限り、均一な混合がスプレーノズルへ向かう水の別の通路に沿って行われるという利点を持っている。
【００２３】
手持部材をシンプルな構造にするため、混合チャンバ及び管コネクタが手持部材の端部材に形成され、そこでは端部材がグリップ部分の管状中心セクションに押し込まれる。
【００２４】
主導管の一部を形成するパイプが、グリップ部分の中心セクションに配置される。伸長チャンネルと接続される端部材にある受容孔の中に、パイプを挿入できる。端部材をグリップ部分に対し押すことによって、伸長チャンネルとパイプとに間の接続を同時に行える。
【００２５】
管コネクタが、伸長チャンネルに対して横方向の端部材に配置される。この結果、水流の方向転換と確実な減速が行なわれ、それによって水が混合チャンバへ通るのを促す。
【実施例】
【００２６】
本発明の要点を図示するため、いくつか別の例を含む実施例を添付図面に図示する。
【００２７】
先ず図１を参照する。図１は口腔注入器１の典型的な構造を示している。スプレーノズル３を手持部材２の前端部方向へ押す。手持部材の後端部に管コネクタ４が配置され、そこに管５を取り付けられている。更に管ここでは図示されていない水容器に接続された図示されていないポンプに接続される。ここには表していないが、伸長チャンネルが管コネクタ４をスプレーノズル３と接続するため、手持部材２内を延びている。
【００２８】
混合貯蔵部６が更に備えられ、それは手持部材２の後端部に（ここでは開放状態で図示された）混合チャンバ７によって構成されている。
【００２９】
アクチュエータキー８が、手持部材２の前端部に配置され、その動作によって、伸長チャンネルを構造に応じて閉鎖または開放できる。
【００３０】
図２から明らかなように、手持部材２が中心パイプ状部分１０を具備し、その後端部の中に端部材１１が挿入されている。手持部材の前端部で、パイプ状部分１０がキャップ１２によって閉じられ、その中にスプレーノズル３が挿入されている。
【００３１】
パイプ１３が、中心パイプ状部分１０を介して延び、その後端部が端部材１１における受容孔１４の中に挿入されている。弾性変形可能に構成されたパイプの前端部が、スプレーノズル３と接続されている。アクチュエータキー８は押しボタン１５を具備しており、それによってパイプ１３の弾性変形可能な端部が、アクチュエータキー８を押し下げることにより圧縮され、パイプ交差セクションをブロックして水がこれ以上スプレーノズル３に達しないようにできる。
【００３２】
管５用の管コネクタ４が、端部材１１の下で横に配置されている。管コネクタ４が、伸長チャンネル１６の中に開口しており、また伸長チャンネルが受容ボア１４の基部の中で終端している。カバー１８によって閉じられたポット型構造の混合チャンバ７が、管コネクタ４に対向した伸長チャンネル１６の上に配置されている。カバー１８が、混合チャンバ７にねじ込まれるかスナップ留めできる。中心管状体１９が、混合チャンバに配置され、その伸長孔２０が伸長チャンネル１６の中に開口している。
【００３３】
上記の端部材１１が、射出成形部分である。口腔注入器１の組み立て中に、端部材が中心パイプ状部分１０の後端部の中に挿入される。同時にパイプ１３が受容孔１４の中に押し入れられて、管５と流体ノズル３との間で流体接続を行う。
【００３４】
混合貯蔵部６の詳細な機能は、以下の図３ａ〜図３ｃに図示されている。
【００３５】
図３ａは、第一実施例を示している。混合チャンバ７は単に伸長孔２０及び中心管状体１９を介して、端部材１１における伸長チャンネル１６と接続されている。環状タブレット２１が、中心管状体１９に配置され、管状タブレットは混合される処理剤の固体物質として形成されている。
【００３６】
ポンプがスイッチオンされると直ぐに、水が管を介して伸長チャンネル１６の中に流れ、更にそこで供給導管として作用する伸長孔２０を介して、混合チャンバ７の中に流れる。混合チャンバが満たされると、物質のキャリアが部分的に溶かされて、処理剤を水に入れる。伸長チャンネル１６を介して流れる水が主流を形成し、ここで排水導管として機能する伸長孔２０を介して混合チャンバから水を再び抜くために負圧を発生させる。混合チャンバが少なくとも部分的に空になると直ぐに、新しい水が再び流れる。
【００３７】
伸長孔２０が供給導管と排出導管の両方として機能するので、排水が少しだけ処理剤を含むように、ほんの少しの混合が行える。図３ｂに示したように出口孔２２が混合チャンバ７の床面に配水管として設けられると、混合率が改善される。伸長チャンネルを介する流れの方向で、この出口孔が伸長孔２０によって形成された供給導管の後方に配置されている。それによって混合チャンバが、伸長チャンネル１６への分流に配置される。所望の混合率が、供給及び排出導管の断面を対応させて寸法を決めることによって、達成できる。特に供給導管を最小に制限するだけで、特別に高い混合率が達成できる。
【００３８】
図３ｃに示したように、伸長チャンネル１６が封鎖部２３によって遮断されると、管５を介して端部材の中に流れる全ての水が、混合チャンバ７の中に案内され、そこから出口孔２２を介して伸長チャンネルの中に戻るので、混合率が更に一層増す。よって混合チャンバ７が、主要な水のストリームに配置される。
【００３９】
閉鎖時には、供給が中心管状体（１９）を介して行う必要がなくなる。それに関して、環状タブレットも物質のキャリアとして使用されなくなるので、外される。実施例において、供給及び排出導管が混合チャンバ７の床面にある単なる孔から成っている。
【図面の簡単な説明】
【００４０】
【図１】口腔注入器の手持部材の斜視図。
【図２】本発明による手持部材の縦断面図。
【図３ａ】混合貯蔵部の領域における水流の制御を具体化した図。
【図３ｂ】混合貯蔵部の領域における水流の制御を具体化した図。
【図３ｃ】混合貯蔵部の領域における水流の制御を具体化した図。
【符号の説明】
【００４１】
１．  口腔注入器
２．  手持部材
３．  スプレーノズル
４．  管コネクタ
５．  管
６．  混合貯蔵部
７．  混合チャンバ
８．  アクチュエータキー
９．  
１０．      パイプ状部分
１１．      端部材
１２．      キャップ
１３．      パイプ
１４．      受容孔
１５．      押しボタン
１６．      伸長チャンネル
１７．      
１８．      カバー
１９．      中心管状体
２０．      伸長ボア
２１．      タブレット
２２．      出口孔
２３．      閉鎖部
【図１】
2007506490.tif 000003
【図２】
2007506490.tif 000004
【図３ａ】
2007506490.tif 000005
【図３ｂ】
2007506490.tif 000006
【図３ｃ】
2007506490.tif 000007
【国際調査報告】
2007506490.tif 000008
2007506490.tif 000009
2007506490.tif 000010
2007506490.tif 000011